(57)【特許請求の範囲】
【請求項１】
折り部を境に封筒の表紙片と裏紙片との二紙片からなる封筒外形紙が連接してなり、折り部側を除く三周辺が封着部としてなり、少なくとも一方の紙片の封着部に粘着剤が設けられてなると共に、この紙片の粘着剤に対応する三周辺に剥離剤が設けられた情報記載片が粘着剤面側に重ね合わされ、表紙片または裏紙片の折り部側または折り部と平行する端部に申込書が一体化されてなり、この申込書は、封筒外形紙の折り部と直交する二辺側のサイズが、封筒外形紙の封着部の内側に位置するサイズからなることを特徴とする申込書付き封筒用帳票。
【発明の詳細な説明】
【０００１】
【産業上の利用分野】
本発明は、銀行、クレジット会社等の金融機関の各種預金口座、ローン、カード発行等の開設を行うための間接申込に関する。
【０００２】
【従来の技術】
この種の申込用紙にあっては、直接銀行、クレジット会社等の金融機関の窓口にいって説明を聞いて手続きをしなくても済むように、それぞれ別体の説明書、申込書、送付用封筒が一纏めにされ中身が見えるように透明なビニール封筒に入れて、誰でもが自由に持ち帰れるように有人、無人店舗に置いてある。
【０００３】
【発明が解決しようとする課題】
従って、各種金融機関の窓口業務の効率化の一環である、特に無人店舗での顧客獲得を狙って行われる方法としては、人件費の掛からないサービスとして有効なものであった。しかし、別体の説明書、申込書、送付用封筒が一纏めにされ透明なビニール封筒に入っており美観的には整っているものの、中身を取り出して不要となったビニール封筒の処分に際して、環境問題を考慮すると必要最小限の使用に限るように自粛する事が社会的な使命であった。また、使い勝手としてはそれぞれの用紙が別体で構成されているため、説明書、申込書、送付用封筒のうち何か不足して目的を達し得なかったり、顧客が説明内容を読んで申込書に記入作成する手順は、必然的に順序だてて見て書くとは限らず誤記入をする恐れがあり、合理的記入作業を望む顧客にとっては大変煩わしいものであった。また、申込書が送付用封筒の中で固定していないため、郵送中何らかの原因で封筒が破れて中身が脱落したり、申込受付者が封筒を開封する際に誤って中身も一緒に切ってしまうことがあった。
【０００４】
【課題を解決するための手段】
本発明は、申込勧誘側の立場に立って、顧客の立場に立って、さらに社会的な環境問題に立って、上記ような不都合を改善するために、折り部を境に封筒の表紙片と裏紙片との二紙片からなる封筒外形紙が連接してなり、折り部側を除く三周辺が封着部としてなり、少なくとも一方の紙片の封着部に粘着剤が設けられてなると共に、この紙片の粘着剤に対応する三周辺に剥離剤が設けられた情報記載片が粘着剤面側に重ね合わされ、表紙片または裏紙片の折り部側または折り部と平行する端部に申込書が一体化されてなり、この申込書は、封筒外形紙の折り部と直交する二辺側のサイズが、封筒外形紙の封着部の内側に位置するサイズとしたものである。
【０００５】
【作用】
封筒の表紙片と裏紙片との二紙片からなる封筒外形紙に、申込書が一体化されており、且つ封着用の粘着剤を情報記載片で被覆したので、粘着剤の保護紙と情報記載片を共用でき、紙片の有効活用が行える。さらに折り部と直交する申込書のサイズを短く構成したので、情報記載片を剥離すれば粘着剤が露出して、これにより折り部から折り重ね接着すれば容易に封筒化できる。また、ビニール封筒は使用していないため、環境問題に悪影響を及ぼさない。
【０００６】
【実施例】
本発明の申込書付き封筒用帳票を預金口座開設の申込とした実施例について、添付図面に基づいて詳細に説明する。ここにおいて、図１は申込書付き封筒用帳票の構成を示す斜視図、図２は説明書を切り離して情報記載片を一部剥離した申込書付き封筒用帳票の平面図、図３は申込書付き封筒用帳票を折り重ねて封筒化した斜視図、図４は封筒を開封して中から申込書を取り出している斜視図である。
【０００７】
図１に示してあるように申込書付き封筒用帳票１は、預金口座内容、店舗案内、手続方法、記入方法等、申込に必要な事項が印刷された所望枚数の説明書Ａと、銀行側での処理に必要な預金新約申込書、暗証番号登録票、預金印鑑票等、所望枚数が綴じられ裏カーボンまたはノーカーボンによる複写式の申込書Ｂとが、封筒外形紙Ｃの裏紙片４側の封着部である綴じ合わせ部９上に、説明用紙Ａと申込書Ｂに延設された綴じ合わせ部９を介して順次綴じ重ね合わされており、この各綴じ合わせ部９の内側には切取り兼開封ミシン目８が設けられ、封筒外形紙Ｃの折り部２を境に表紙片３の三周辺の封着部には封着用の粘着剤６が塗布され、封筒外形紙Ｃの表紙片３を折り部２で折り重ねた時に、綴じ合わせ部９の内側の切取り兼開封ミシン目８と対向する位置にも、切取り兼開封ミシン目８が設けられ、この表紙片３上には前記封着用の粘着剤６を保護するために、粘着剤６と対向する面に剥離剤７を設けてある情報記載片５が重ね合わされ構成されている。この情報記載片５の表面には、新規契約に伴う申込記入例１０が印刷されている。
【０００８】
前記説明書Ａは、封筒外形紙Ｃとほぼ同じ大きさであり、前記申込書Ｂは、綴じ合わせ部９側を除く三周辺が、封筒外形紙Ｃ上の封着用粘着剤６の塗布幅より内側に位置するよう短くなっている。情報記載片５は、表紙片３とほぼ同じ大きさで、その裏面に部分的に設けられた剥離剤７で封着用の粘着剤６を保護する役目を有する一方、表面側は説明文等を印刷して情報量を増やす他、アンケート等の返信用紙としてもよい。
【０００９】
なお、申込書Ｂと封筒外形紙Ｃとの一体化は、申込書Ｂの一端を封筒外形紙Ｃの折り部に沿う一端に接着して一体化してもよいものである。また、封筒の開封に際しては、三周辺側の封着部を切取り開封してもよく、この場合は、折り部２と直交する辺の封着部の内側に切取りミシン目を設けておくことが好ましい。また、封筒外形紙Ｃ上への説明書Ａと申込書Ｂとの一体化は、封筒外形紙Ｃの封着部である綴じ合わせ部９の内側に剥離可能に、例えば、細線状の接着剤で綴じ合わせ一体化してもよく、この場合は、説明書Ａと申込書Ｂの綴じ合わせ部９は省略できるものである。
【００１０】
次に、この申込書付き封筒用帳票１の使用方法について説明する。説明書Ａと申込書Ｂとが内側になるように、折り部２で封筒外形紙Ｃを折り込んで店舗の人目に付くところに置いておく。この状態では、送付先等が印刷された表紙片３と宣伝、広告等の情報が印刷された裏紙片４とが表出している。この申込書付き封筒用帳票１を持ち帰った顧客は、中の説明書Ａを順序立てて読んだ後で、指示にしたがって申込書Ｂに必要事項を書込んで、図２に示すように説明書Ａを切取り兼開封ミシン目８から切離し、封着用の粘着剤６を保護している情報記載片５を「ここから紙を剥がして下さい」という指示に従って剥がして、折り部２から申込書Ｂを内側にして折り重ね、図３のように封筒化すると表出面には、事前に送付先等が印刷されているのでこの状態でポストに投函可能となる。
【００１１】
郵送途中においては、封筒外形紙Ｃと内添されている申込書Ｂが綴じ合わせ部９で一体化されているため、中で動き移動することはない。郵送されてきた封筒を受け取った申込受付者は、封筒の一辺側に設けてある切取り兼開封ミシン目８を切取って開封し、図４のように中の申込書Ｂを取出すことができる。
【００１２】
【発明の効果】
以上説明したところで明らかなように、本発明によれば、預金口座開設等の各種申込に必要な申込書、封筒が一体化されビニール封筒を必要とせず、社会的な環境問題に貢献するものである。また、封着用の粘着剤を保護している紙片を情報記載片としたので、紙片の有効活用が行えると共に封筒作成時には、この情報記載片を剥がすだけで粘着剤を露出でき、折り畳むことにより容易に申込書内蔵の封筒が作成でき、開封時には、開封ミシン目から一辺を切取ることで容易に開封でき、これにより申込書を封筒外形紙から容易に取出せ、郵送中の脱落が防止できると共に開封時の取出しも安全に行え、顧客や勧誘側にとって有益な効果を奏し得るものである。
【図面の簡単な説明】
【図１】申込書付き封筒用帳票の構成斜視図。
【図２】説明書を切離して情報記載片を一部剥離した申込書付き封筒用帳票の平面図。
【図３】申込書付き封筒用帳票を折り重ねて封筒化した斜視図。
【図４】封筒を開封して中から申込書を取り出している斜視図。
【符号の説明】
Ａ  説明書
Ｂ  申込書
Ｃ  封筒外形紙
１  申込書付き封筒用帳票
２  折り部
３  表紙片
４  裏紙片
５  情報記載片
６  粘着剤
７  剥離剤
８  切取り兼開封ミシン目
９  綴じ合わせ部
１０  申込記入例
【図１】
0003691552.tif 000002
【図２】
0003691552.tif 000003
【図３】
0003691552.tif 000004
【図４】
0003691552.tif 000005